(57)【要約】【課題】手の形状に良好にフィティングするスポーツ用縫製手袋を提供する。【解決手段】スポーツ用縫製手袋１は、手の甲パーツ２と、人指し指片３ａを備えた掌パーツ３と、親指片４ａを備えた親指パーツ４と、中指片５ａを備えた中指パーツ５と、薬指片６ａを備えた薬指パーツ６と、小指片７ａを備えた小指パーツ７とを縫合してなる。掌パーツ３、中指パーツ５、薬指パーツ６及び小指パーツ７は、該各指片の各基部に手の甲側に伸びる延長片３ｂ，５ｂ，６ｂ，７ｂを設けてなり、前記各指片を二つ折りに重ね合わせ、それらの側縁どうし及び先端どうしを縫合するとともに、前記各延長片３ｂ，５ｂ，６ｂ，７ｂの側縁どうしと、前記延長片５ｂ，６ｂ，７ｂ先端と手の甲パーツ２の内側縁と、手の甲パーツ２と掌パーツ３の側縁とは、それぞれ伸縮可能なストレッチ材８を介して縫合する。【選択図】図１
2005281872.tif 000002
【特許請求の範囲】
【請求項１】
指を除く手の甲に対応する手の甲パーツと、指を除く掌に対応するとともに、人指し指に対応する人指し指片を備えた掌パーツと、親指に対応する親指片を備えた親指パーツと、中指に対応する中指片を備えた中指パーツと、薬指に対応する薬指片を備えた薬指パーツと、小指に対応する小指片を備えた小指パーツとを、所定部位で縫合してなるスポーツ用縫製手袋であって、前記各指片を幅方向に二つ折りに重ね合わせ、それらの縁部どうしを縫合することによって、それぞれ袋状の親指挿入部、人指し指挿入部、中指挿入部、薬指挿入部及び小指挿入部を形成することを特徴とするスポーツ用縫製手袋。
【請求項２】
掌パーツ、中指パーツ、薬指パーツ及び小指パーツは、人指し指片、親指片、中指片、薬指片及び小指片の各基部に手の甲側に延びる延長片を設けてなり、掌パーツ、中指パーツ、薬指パーツ及び小指パーツの各延長片の側縁どうしの間と、前記各延長片先端と手の甲パーツの内側縁との間と、手の甲パーツと掌パーツの側縁との間とを、それぞれ伸縮可能なストレッチ材を介して縫合したことを特徴とする請求項１に記載のスポーツ用縫製手袋。
【請求項３】
指を除く手の甲に対応する部分、指を除く掌に対応する部分及び親指片とを一体に形成した手袋本体パーツと、人指し指に対応する人指し指片を備えた人指し指パーツと、中指に対応する中指片を備えた中指パーツと、薬指に対応する薬指片を備えた薬指パーツと、小指に対応する小指片を備えた小指パーツとを、所定部位で縫合してなるスポーツ用縫製手袋であって、前記各指片を幅方向に二つ折りに重ね合わせ、それらの縁部どうしを縫合することによって、それぞれ袋状の親指挿入部、人指し指挿入部、中指挿入部、薬指挿入部及び小指挿入部を形成することを特徴とするスポーツ用縫製手袋。
【請求項４】
人指し指パーツ、中指パーツ、薬指パーツ及び小指パーツは、人指し指片、中指片、薬指片及び小指片の各基部に手の甲側に延びる延長片をそれぞれ設けてなり、人指し指パーツ、中指パーツ、薬指パーツ及び小指パーツの各延長片の側縁どうしの間と、中指片、薬指片及び小指片の各延長片の先端と手袋本体パーツ内側縁との間とを、それぞれ伸縮可能なストレッチ材を介して縫合したことを特徴とする請求項３に記載のスポーツ用縫製手袋。
【発明の詳細な説明】
【技術分野】
【０００１】
本発明は、ゴルフクラブや野球のバットを振る際に装着する手袋に係り、特に、装着時、手の各指にフィットして安定したグリップが得やすいスポーツ用縫製手袋に関するものである。
【背景技術】
【０００２】
従来、ゴルフ用などのスポーツ用縫製手袋には、人指し指、中指、薬指及び小指を挿入するそれぞれ袋状の各指挿入部は、手の甲パーツと掌パーツの、手の各指に対応する二枚の指片を重ね合わせ、それらの先端及び両側縁を縫合したものであり、前記縫合部分が前記両側縁に存在していた。
【特許文献１】特開平０６−０４７１２３号公報
【発明の開示】
【発明が解決しようとする課題】
【０００３】
前記従来のスポーツ用縫製手袋は、各指挿入部の縫合部分が前記両側縁に存在するため、特にゴルフクラブをグリップしたときの人指し指、中指、薬指及び小指の感触が悪いうえ、グリップした手へのフィッティング感があまりないという問題があった。
【課題を解決するための手段】
【０００４】
請求項１に記載の本発明は、指を除く手の甲に対応する手の甲パーツと、指を除く掌に対応するとともに、人指し指に対応する人指し指片を備えた掌パーツと、親指に対応する親指片を備えた親指パーツと、中指に対応する中指片を備えた中指パーツと、薬指に対応する薬指片を備えた薬指パーツと、小指に対応する小指片を備えた小指パーツとを、所定部位で縫合してなるスポーツ用縫製手袋であって、前記各指片を幅方向に二つ折りに重ね合わせ、それらの縁部どうしを縫合することによって、それぞれ袋状の親指挿入部、人指し指挿入部、中指挿入部、薬指挿入部及び小指挿入部を形成するものである。
【０００５】
請求項２に記載の本発明は、前記請求項１に記載のスポーツ用縫製手袋において、掌パーツ、中指パーツ、薬指パーツ及び小指パーツは、人指し指片、親指片、中指片、薬指片及び小指片の各基部に手の甲側に延びる延長片を設けてなり、掌パーツ、中指パーツ、薬指パーツ及び小指パーツの各延長片の側縁どうしの間と、前記各延長片先端と手の甲パーツの内側縁との間と、手の甲パーツと掌パーツの側縁との間とを、それぞれ伸縮可能なストレッチ材を介して縫合したものである。
【０００６】
請求項３に記載の本発明は、指を除く手の甲に対応する部分、指を除く掌に対応する部分及び親指片とを一体に形成した手袋本体パーツと、人指し指に対応する人指し指片を備えた人指し指パーツと、中指に対応する中指片を備えた中指パーツと、薬指に対応する薬指片を備えた薬指パーツと、小指に対応する小指片を備えた小指パーツとを、所定部位で縫合してなるスポーツ用縫製手袋であって、前記各指片を幅方向に二つ折りに重ね合わせ、それらの縁部どうしを縫合することによって、それぞれ袋状の親指挿入部、人指し指挿入部、中指挿入部、薬指挿入部及び小指挿入部を形成するものである。
【０００７】
請求項４に記載の本発明は、前記請求項３に記載のスポーツ用縫製手袋において、人指し指パーツ、中指パーツ、薬指パーツ及び小指パーツは、人指し指片、中指片、薬指片及び小指片の各基部に手の甲側に延びる延長片をそれぞれ設けてなり、人指し指パーツ、中指パーツ、薬指パーツ及び小指パーツの各延長片の側縁どうしの間と、中指片、薬指片及び小指片の各延長片の先端と手袋本体パーツ内側縁との間とを、それぞれ伸縮可能なストレッチ材を介して縫合したものである。
【発明の効果】
【０００８】
以上のように、請求項１に記載の本発明のスポーツ用縫製手袋は、従来のものとは異なり、人指し指、中指、薬指及び小指を挿入する挿入部の内側に、縫合部が一本存在するだけなので、ゴルフクラブや野球バットなどをグリップする時に、各指の感触がよいうえ、各指の形状にあったフィッティングが可能であるという効果を奏する。
【０００９】
請求項２に記載の本発明のスポーツ用縫製手袋は、請求項１に記載の発明の効果に加えて、掌パーツ、中指パーツ、薬指パーツ及び小指パーツの各延長片どうしの間と、前記各延長片先端と手の甲パーツの内側縁の間と、手の甲パーツと掌パーツの各側縁の間とを、伸縮可能なストレッチ布を介して連繋しているので、グリップ時の指へのフィッティング性がより一層向上するという効果を奏する。
【００１０】
また、請求項３に記載の本発明のスポーツ用縫製手袋は、従来のものとは異なり、人指し指、中指、薬指及び小指に挿入する挿入部の内側に、縫合部が一本存在するだけなので、ゴルフクラブや野球バットなどをグリップする時に、各指の感触がよいうえ、各指の形状にあったフィッティングが可能であるという効果を奏する。
【００１１】
請求項４に記載の本発明のスポーツ用縫製手袋は、人指し指パーツ、中指パーツ、薬指パーツ及び小指パーツの各延長片の側縁の間と、前記各延長片先端と手袋本体パーツの手の甲側の間とを、伸縮可能なストレッチ布を介して連繋しているので、グリップ時の指へのフィッティング性がより一層向上するという効果を奏する。
【００１２】
次に、本発明をゴルフ用手袋に適用した好適な実施形態を添付図面の図１〜図１２に基づいて詳細に説明する。ここにおいて、図１は手の甲側を示す手袋の斜視図、図２は掌側を示す手袋斜視図、図３は手の甲パーツの裏面図、図４は親指パーツの裏面図、図５は掌パーツの裏面図、図６は中指パーツの裏面図、図７は薬指パーツの裏面図、図８は小指パーツの裏面図、図９はストレッチ布の裏面図、図１０は手袋を縫製する途中の状態（中指パーツを縫合した後の状態）の裏面図、図１１は手袋を縫製する途中の状態（薬指パーツを縫合した後の状態）の裏面図、図１２は手袋を縫製する途中の状態（小指パーツを縫合した後の状態）の裏面図である。
【００１３】
図１〜図１２に示すように、手袋１は、手の甲に対応する手の甲パーツ２と、掌に対応するとともに、人指し指に対応する人指し指片３ａを備えた掌パーツ３と、親指に対応する親指片４ａを備えた親指パーツ４と、中指に対応する中指片５ａを備えた中指パーツ５と、薬指に対応する薬指片６ａを備えた薬指パーツ６と、小指に対応する小指片７ａを備えた小指パーツ７とを、所定部位で縫合したものである。前記各指片３ａ，４ａ，５ａ，６ａ，７ａを二つ折りに重ね合わせ、それらの縁部どうしを縫合することによって、それぞれ袋状の人指し指挿入部３ｃ、親指挿入部４ｃ、中指挿入部５ｃ、薬指挿入部６ｃ及び小指挿入部７ｃを形成してなる。
【００１４】
図１、図２及び図９〜図１２に示すように、掌パーツ３、中指パーツ５、薬指パーツ６及び小指パーツ７は、人指し指片３ａ、中指片５ａ、薬指片６ａ及び小指片７ａの各基部に手の甲側に延びる延長片３ｂ，５ｂ、６ｂ，７ｂを設けてなり、掌パーツ３、中指パーツ５、薬指パーツ６及び小指パーツ７の各延長片３ｂ，５ｂ，６ｂ，７ｂの各側部どうしの間と、前記各延長片３ｂ，５ｂ、６ｂ，７ｂ先端と手の甲パーツ２の内側縁との間と、手の甲パーツ２と掌パーツ３の各側縁との間とを、それぞれ伸縮可能なストレッチ材８を介して連繋する。
【００１５】
図１〜図３に示すように、手の甲パーツ２は、各指を除く手の甲に対応するように一枚の皮革をほぼ四角形に裁断して形成するもので、手首側の縁から薬指と小指間の指股側に向かって延び、横方向に開いて手を挿し込む動作を容易にするための切り込み９設ける。
【００１６】
図１、図２，図４及び図１０〜図１２に示すように、掌パーツ３は、各指を除く掌に対応するように一枚の皮革を裁断して形成するもので、親指パーツ４をその内周縁に縫合するための取り付け穴１０と、前記中指片５ａ、前記薬指片６ａ及び前記小指片７ａの掌側となる各基部に縫合して連繋するための縫合片１１，１２，１３と、人指し指に対応する前記人指し指片３ａと、この人指し指片３ａの手の甲側となる基部を延長形成した延長片３ｂとを有する。
【００１７】
図５に示すように、親指パーツ４は、一枚の皮革を裁断して形成するもので、親指片４ａを有する。
【００１８】
図６に示すように、中指パーツ５は、一枚の皮革を裁断して形成するもので、中指片５ａと延長片５ｂとを有する。また、図７に示すように、薬指パーツ６は、一枚の皮革を裁断して形成するもので、薬指片６ａと延長片６ｂとを有する。さらに、図８に示すように、小指パーツ７は、一枚の皮革を裁断して形成するもので、小指片７ａと延長片７ｂとを有する。
【００１９】
図３及び図９〜図１２に示すように、伸縮可能な布材で構成するストレッチ布８は、掌パーツ３、中指パーツ５、薬指パーツ６及び小指パーツ７の前記各延長片３ａ，５ａ，６ａ，７ａの各側縁どうしの間と、前記各延長片３ａ，５ａ，６ａ，７ａ先端と手の甲パーツ２内側縁との間と、手の甲パーツ２と掌パーツ３との一方の側縁（親指側）どうしの間を縫合し得るように裁断する。
【００２０】
次に、上記各パーツ２〜７と上記ストレッチ布８とを用いた手袋１の縫製工程を説明する。
【００２１】
（工程１）図３に示すように、手の甲パーツ２裏面の内側縁（図３上の上縁）と、手の甲パーツ２の親指側側縁とに、ストレッチ布８を縫合する（縫合線Ａ参照）。
【００２２】
（工程２）図３、図４及び図１０に示すように、前記工程１で得られた中間部材に対して、掌パーツ３の親指側側縁を手の甲パーツ２の親指側側縁に突合せるとともに、掌パーツ３の延長片３ｂ先端（図４における下端）を手の甲パーツ２の内端縁（図３における上端）の側縁に突合せ、前記突き合わせた各縁をストレッチ布８とを縫合する（縫合線Ｂ参照）。
【００２３】
（工程３）図６及び図１０に示すように、前記工程２で得られた中間部材に対して、中指パーツ５の延長片５ｂ先端（図６における下端）を手の甲パーツ２の上縁に突合せるとともに、前記延長片５ｂ側縁を前記掌パーツ３の延長片３ｂ側縁に突合せ、前記突き合わせた各縁とストレッチ布８とを縫合する（縫合線Ｃ参照）。
【００２４】
（工程４）図７及び図１１に示すように、前記工程３で得られた中間部材に対して、薬指パーツ６の延長片６ｂ先端を手の甲パーツ２の上縁に突合せるとともに、前記延長片６ｂ側縁を中指パーツ５の延長片５ｂ側縁に突合せ、前記突き合わせた各縁とストレッチ布８とを縫合（縫合線Ｄ参照）する。
【００２５】
（工程５）図８及び図１２に示すように、前記工程４で得られた中間部材に対して、小指パーツ７の延長片７ｂ先端を手の甲パーツ２の上縁に突合せるとともに、小指パーツ７の延長片７ｂ側縁を薬指パーツ６の延長片６ａ側縁に突合せ、前記延長片７ｂ先端（図８における下端）と前記延長片７ｂ側縁とをストレッチ布８に縫合する（縫合線Ｅ参照）ことによって、小指パーツ７を手の甲パーツ２と前記薬指パーツ６に連繋する。
【００２６】
（工程６）図１及び図２に示すように、親指パーツ４を掌パーツ３の取り付け穴１０周縁に縫合する。
【００２７】
（工程７）前記工程６で得られた中間部材（図１２参照）を、人指し指片３ａの幅方向中央で裏面が外側となるように二つ折りし、中指パーツ５の中指片５ａの掌側となる基部（延長片５ｂが存置しない部分）と、掌パーツ３の、人指し指片３ａに隣接する前記縫合片１１とを縫合し(図示せず)、また、薬指パーツ６の薬指片６の掌側となる基部(延長片６ｂが存置しない部分)と、中央の前記縫合片１２とを縫合し(図示せず)、さらに、小指パーツ７の小指片７ａの掌側となる基部（延長片７ｂが存置しない部分）と、外側の前記縫合片１３を縫合する(図示せず)。
【００２８】
（工程８）続いて、前記親指片４ａ、前記中指片５ａ、前記薬指片６ａ及び前記小指片７ａの各側縁と各先端縁を縫合して、袋状の親指挿入部４ｃ、人指し指挿入部３ｃ、中指挿入部５ｃ、薬指挿入部６ｃ及び小指挿入部７ｃを形成する（図１及び図２参照）。さらに、手袋１の手挿入部となる手の甲パーツ２と掌パーツ３の各下縁及び手の甲パーツ２の切り込み９の両縁に肌に柔らかく当たるように皮革製の縁取り１４を縫合するとともに、前記切り込み９部分に、裏面に面ファスナーを有する締めバンド１５を縫合する。続いて、各指挿入部４ｃ，５ｃ，６ｃ，７ｃを含めた全体を表に返して手袋１が完成する。
【００２９】
続いて、本発明の他の実施形態を添付図面の図１３及び図１４に基づいて説明する。ここにおいて、図１３は手の甲側を示す手袋の斜視図、図１４は掌側を示す手袋の斜視図である。
【００３０】
この実施形態の手袋２１において、前述の実施例における手袋１と相違する構成は、人指し指パーツ２２を、単独のパーツとして設けた点と、手の甲に対応する部分、掌に対応する部分及び親指片２３ａを一体形成した手袋本体パーツ２３を設けた点であり、中指パーツ５、薬指パーツ６、小指パーツ７、ストレッチ布８の構成及び縫合方法は、前述の実施形態における手袋１の場合と同様であるので、前記人指し指パーツ２２と前記手袋本体パーツ２３に係る点のみを説明し、図１３と図１４に、前述の実施形態における手袋１に係る各図面に付した符号と同じ符号を付すに止め、詳細な説明は省略する。
【００３１】
図１３及び図１４に示すように、手袋２１は、手袋本体パーツ２３、前記人指し指パーツ２２、中指パーツ５、薬指パーツ６及び小指パーツ７を縫合して手袋２１を構成する。前記人指し指パーツ２２は、その形状は若干異なるが、中指パーツ５、薬指パーツ６、あるいは小指パーツ７と同様に、人指し指片２２ａと延長部２２ｂとを有し、該延長部２２ｂの両側縁部を、中指パーツ５の延長部５ｂと手袋本体パーツ２３の縁部にストレッチ布８を介して縫合する。また、前記手袋本体パーツ２３は、縫合片１１，１２，１３と同様の、人指し指片２２ａの掌側となる基部が縫合される縫合片２４を設けてある。
【００３２】
なお、本発明は、上記のようなゴルフ用ではなく、野球のバッティングをする時に装着する野球用など、棒状のスポーツ具を振る他のスポーツ用に適用してもよい。また、各手袋１，２１の各パーツの材質が伸縮性を有する場合は、ストレッチ布８を用いることなく、各パーツどうしをそれぞれ直接縫合して構成してもよい。
【図面の簡単な説明】
【００３３】
【図１】手の甲側を示す斜視図。
【図２】掌側を示す斜視図。
【図３】手の甲パーツの裏面図。
【図４】親指パーツの裏面図。
【図５】掌パーツの裏面図。
【図６】中指パーツの裏面図。
【図７】薬指パーツの裏面図。
【図８】小指パーツの裏面図
【図９】ストレッチ布の裏面図。
【図１０】手袋を縫製する途中の状態（中指パーツを縫合した後の状態）の裏面図。
【図１１】手袋を縫製する途中の状態（薬指パーツを縫合した後の状態）の裏面図。
【図１２】手袋を縫製する途中の状態（小指パーツを縫合した後の状態）の裏面図。
【図１３】他の実施形態における手の甲側を示す斜視図。
【図１４】他の実施形態における掌側を示す斜視図。
【符号の説明】
【００３４】
１    手袋  
２    手の甲パーツ
３    掌パーツ
３ａ    人指し指片
３ｂ    延長片
３ｃ    人指し指挿入部
３ｄ    パーツ本体部
４    親指パーツ
４ａ    親指片
４ｂ    延長片
４ｃ    親指挿入部
５    中指パーツ
５ａ  中指片
５ｂ    延長片
５ｂ    中指挿入部
６    薬指パーツ
６ａ    薬指パーツ
６ｂ    薬延長片
６ｃ    薬指挿入部
７    小指パーツ
７ａ    小指片
７ｂ    延長片
７ｃ    小指挿入部
８    ストレッチ布
９    切り込み
１０    取り付け穴
１１    縫合片
１２    縫合片
１３    縫合片
１４    掌パーツ本体
１５    締めバンド
２１    手袋
２２    人指し指パーツ
２２ａ    人指し指片
２２ｂ    延長片
２３    手袋本体パーツ
【図１】
2005281872.tif 000003
【図２】
2005281872.tif 000004
【図３】
2005281872.tif 000005
【図４】
2005281872.tif 000006
【図５】
2005281872.tif 000007
【図６】
2005281872.tif 000008
【図７】
2005281872.tif 000009
【図８】
2005281872.tif 000010
【図９】
2005281872.tif 000011
【図１０】
2005281872.tif 000012
【図１１】
2005281872.tif 000013
【図１２】
2005281872.tif 000014
【図１３】
2005281872.tif 000015
【図１４】
2005281872.tif 000016